(57)【要約】【課題】媒体詰りが発生したときに、媒体を容易に取り除くことができ、媒体に斜行、送り不良等が発生するのを防止する。【解決手段】回転自在に配設された第１の回転体、揺動支点を構成する第１の支点係合部、及び第１のロック係合部を備えた第１のフレームと、回転自在に配設された第２の回転体、第１の支点係合部と係合させられて揺動支点を構成する第２の支点係合部、及び第１のロック係合部と選択的に係合させられる第２のロック係合部を備え、第１のフレームに対して揺動自在に配設された第２のフレームとを有する。そして、第１、第２のロック係合部は第１のフレームと第２のフレームとを相対的に移動させることによって選択的に係合させられ、第２のフレームの第１のフレームに対するロック及びロックの解除が行われる。【選択図】　　　　　図１
2004091138.tif 000002
【特許請求の範囲】
【請求項１】
（ａ）回転自在に配設された第１の回転体、揺動支点を構成する第１の支点係合部、及び第１のロック係合部を備えた第１のフレームと、
（ｂ）回転自在に配設された第２の回転体、前記第１の支点係合部と係合させられて揺動支点を構成する第２の支点係合部、及び前記第１のロック係合部と選択的に係合させられる第２のロック係合部を備え、前記第１のフレームに対して揺動自在に配設された第２のフレームとを有するとともに、
（ｃ）前記第１、第２のロック係合部は第１のフレームと第２のフレームとを相対的に移動させることによって選択的に係合させられ、第２のフレームの第１のフレームに対するロック及びロックの解除が行われることを特徴とする媒体供給装置。
【請求項２】
前記第１、第２のロック係合部が係合させられるのに伴って、第１、第２の回転体が係合させられ、第１、第２の回転体により媒体を搬送する請求項１に記載の媒体供給装置。
【請求項３】
前記第１の支点係合部は、第２のフレームの第１のフレームに対する回転動作を規制する第１の係合部、及び第２のフレームの第１のフレームに対する回転動作を許容する第２の係合部を備える請求項１に記載の媒体供給装置。
【請求項４】
前記第１のロック係合部は、第２のロック係合部を受け入れる受入れ部、及び第２のロック係合部と係合させられる係合部を備える請求項１に記載の媒体供給装置。
【請求項５】
（ａ）前記第２のフレーム及び前記第１のフレームによって媒体搬送ユニットが構成され、
（ｂ）該媒体搬送ユニットを移動させることによって、前記第２のフレームが前記第１のフレームに対して移動させられ、第１、第２のロック係合部の係脱が行われる請求項１に記載の媒体供給装置。
【発明の詳細な説明】
【０００１】
【発明の属する技術分野】
本発明は、媒体供給装置に関するものである。
【０００２】
【従来の技術】
従来、印刷装置、複写機、ファクシミリ装置等の記録装置において、媒体としての用紙を供給するために媒体供給装置が配設され、該媒体供給装置は、用紙の両面に記録を行うために、用紙を反転させて搬送する反転ユニットを備えるようになっている。
【０００３】
図２は従来の印刷装置の概念図である。
【０００４】
図において、１１は印刷装置、１２は用紙カセット、１３は、該用紙カセット１２の前端（図において右端）の近傍に配設され、図示されない用紙を搬送路Ｒａに繰り出すローラ対から成る給紙ローラ、１４は繰り出された用紙を搬送するローラ対から成る搬送ローラ、１５はローラ対から成るレジストローラ、１６は感光体ドラム、１６ａは感光体ドラム１６に圧接させて配設された転写ローラ、１７は定着装置であり、該定着装置１７はヒートローラ５２及びプレッシャローラ５３を備える。また、１８は位置ａ、ｂを採り、前記搬送路Ｒａを、搬送路Ｒｂ、Ｒｃ間で切り換えるセパレータ、１９は両面印刷用の反転ユニットである。
【０００５】
そして、該反転ユニット１９は、上フレーム２０及び下フレーム２１を備え、上フレーム２０には複数のピンチローラ２２が、下フレーム２１には、複数の搬送ローラ２３、及び搬送路Ｒｂに送られてきた用紙を反転させて搬送路Ｒｄに送る反転ローラ５４が配設される。また、前記上フレーム２０は、前記下フレーム２１の所定の箇所に配設された回転支点２７を揺動中心にして揺動自在に、かつ、開閉自在に配設され、図に示されるように下フレーム２１と対向させて水平に配設される閉鎖位置と、下フレーム２１に対して傾斜させられる開放位置とを取り、前記閉鎖位置において、各ピンチローラ２２は、図示されないスプリングによって搬送ローラ２３に押し付けられる。
【０００６】
次に、前記構成の印刷装置１１の動作について説明する。
【０００７】
まず、両面印刷を行う場合、用紙は用紙カセット１２から給紙ローラ１３によって繰り出され、搬送ローラ１４によって搬送路Ｒａを搬送される間に用紙の一方の面に印刷が行われ、セパレータ１８に送られる。このとき、セパレータ１８は位置ａに置かれ、用紙は反転ユニット１９に送られる。
【０００８】
次に、用紙は反転ユニット１９の上フレーム２０と下フレーム２１との間の搬送路Ｒｄをピンチローラ２２及び搬送ローラ２３によって搬送され、そのまま再び搬送ローラ１４に送られ、搬送ローラ１４によって搬送路Ｒａを搬送される用紙の他方の面に印刷が行われ、再びセパレータ１８に送られる。このとき、セパレータ１８は位置ｂに置かれ、用紙は搬送路Ｒｃを搬送され、印刷装置１１外に排出される。
【０００９】
ところで、前記上フレーム２０は下フレーム２１に対して選択的にロックすることができるようになっている。そのために、下フレーム２１の左右の両縁（紙面における手前側及び奥側）に下フレーム２１に対してロックレバー２６が、回転支点５５を中心にして回転自在に配設され、ロックレバー２６の所定箇所に溝５６が形成され、上フレーム２０に係止バー２８が配設される。そして、前記ロックレバー２６を図において反時計回り方向に回転させ、図に示されるように、溝５６を係止バー２８に係止させることによって、上フレーム２０は下フレーム２１に対してロックされ、ロックレバー２６を図において時計回り方向に回転させ、溝５６を係止バー２８から解放することによって、上フレーム２０は下フレーム２１に対してロックが解除される。なお、前記ロックレバー２６はスプリング２５によって反時計回り方向に付勢され、上フレーム２０を閉鎖位置に置くことによって、上フレーム２０は下フレーム２１に対して自動的にロックされる。
【００１０】
そして、反転ユニット１９内で媒体詰りとしての紙詰りが発生すると、反転ユニット１９を印刷装置１１から引き出し、ロックレバー２６を回転させ、上フレーム２０の下フレーム２１に対するロック解除し、上フレーム２０を開放位置に置くことによって用紙を取り除くことができる。
【００１１】
【発明が解決しようとする課題】
しかしながら、前記従来の印刷装置１１においては、ロックレバー２６は下フレーム２１の左右の両縁に配設されるので、両手でロックレバー２６を操作して上フレーム２０を下フレーム２１に対してロックしたり、ロックを解除したりする必要があり、上フレーム２０を開閉するための作業が煩わしい。したがって、用紙を取り除くための作業が困難になってしまう。
【００１２】
また、各ロックレバー２６において溝５６を係止バー２８に係止させる必要があるので、溝５６のいずれをも係止バー２８に係止させることが困難であり、上フレーム２０を下フレーム２１に対して確実にロックすることができないことがある。その場合、用紙に斜行、送り不良等が発生することがある。
【００１３】
本発明は、前記従来の印刷装置の問題点を解決して、媒体詰りが発生したときに、媒体を容易に取り除くことができ、媒体に斜行、送り不良等が発生するのを防止することができる媒体供給装置を提供することを目的とする。
【００１４】
【課題を解決するための手段】
そのために、本発明の媒体供給装置においては、回転自在に配設された第１の回転体、揺動支点を構成する第１の支点係合部、及び第１のロック係合部を備えた第１のフレームと、回転自在に配設された第２の回転体、前記第１の支点係合部と係合させられて揺動支点を構成する第２の支点係合部、及び前記第１のロック係合部と選択的に係合させられる第２のロック係合部を備え、前記第１のフレームに対して揺動自在に配設された第２のフレームとを有する。
【００１５】
そして、前記第１、第２のロック係合部は第１のフレームと第２のフレームとを相対的に移動させることによって選択的に係合させられ、第２のフレームの第１のフレームに対するロック及びロックの解除が行われる。
【００１６】
【発明の実施の形態】
以下、本発明の実施の形態について図面を参照しながら詳細に説明する。なお、この場合、記録装置のうちの印刷装置について説明する。また、反転ユニット１９以外の部分については、本発明の印刷装置と従来の印刷装置１１とで構造が同じであるので、図２を援用し、説明を省略する。
【００１７】
図１は本発明の第１の実施の形態における上フレームを閉鎖位置に置いた状態の反転ユニットの要部を示す正面図、図３は本発明の第１の実施の形態における反転ユニットの要部を示す斜視図、図４は本発明の第１の実施の形態における上フレームを開放位置に置いた状態の反転ユニットの要部を示す正面図、図５は本発明の第１の実施の形態における突起の係合状態を示す第１の図、図６は本発明の第１の実施の形態における突起の係合状態を示す第２の図、図７は本発明の第１の実施の形態におけるピンチローラの配設状態を示す斜視図、図８は本発明の第１の実施の形態におけるピンチローラの配設状態を示す断面図、図９は本発明の第１の実施の形態におけるピンチローラと搬送ローラとの関係を示す図である。
【００１８】
図において、５９は両面印刷用の媒体搬送ユニットとしての反転ユニットであり、該反転ユニット５９は、媒体供給部としての用紙カセット１２（図２参照）の上方において、印刷装置１１に対して引出自在に配設され、上フレーム３０及び下フレーム３１を備え、媒体としての用紙を反転させて搬送する。下フレーム３１は、反転ローラ５４を収容する反転ローラ収容部５６、該反転ローラ収容部５６の底面から用紙の搬送方向における下流側に延びる底板６１、該底板６１の両縁から上方に延びる二つの側板４０等を備える。該各側板４０の用紙の搬送方向における複数箇所、本実施の形態においては、ほぼ中央、及び下流側の端部に、軸方向に延びる第１の溝部としての溝３９ａが形成され、上流側の端部に、軸方向に延び湾曲した第２の溝部としての溝３９ｂが形成される。なお、前記上フレーム３０、下フレーム３１等によって媒体供給装置が構成される。また、下フレーム３１によって第１のフレームが、上フレーム３０によって第２のフレームが構成される。
【００１９】
前記上フレーム３０は、下フレーム３１に対して揺動自在、かつ、係脱自在に配設される。そのために、前記上フレーム３０の用紙の搬送方向における上流側の端部には、左右に突出させて揺動支点を構成する突起３８ｂが形成され、該突起３８ｂは、溝３９ｂ内に収容され、係合させられて、上フレーム３０が開閉させられるとき、溝３９ｂと共に揺動支点を構成する。また、前記上フレーム３０は、図１に示される閉鎖位置を採るとき、下フレーム３１に対して位置決めされ、かつ、ロックされた状態で固定され、そのために、前記上フレーム３０の用紙の搬送方向におけるほぼ中央、及び下流側の端部に、左右に突出させて突起３８ａが形成され、該突起３８ａは、溝３９ａ内に収容され、係合させられる。なお、前記溝３９ａによって第１のロック係合部が、突起３８ａによって溝３９ａと選択的に係合させられる第２のロック係合部が構成される。また、前記溝３９ｂによって第１の支点係合部が、突起３８ｂによって第２の支点係合部が構成される。
【００２０】
前記溝３９ａ及び突起３８ａは、上フレーム３０を下フレーム３１に対して相対的に水平方向に移動させることによって選択的に係合させられ、上フレーム３０の下フレーム３１に対するロック及びロックの解除が行われる。そのために、前記溝３９ａは、図５に示されるように、前記側板４０の上端において開口させられ、突起３８ａを受け入れる受入れ部６３、及び用紙の搬送方向における受入れ部６３より上流側に形成され、上フレーム３０が閉鎖位置に置かれたときに、突起３８ａが係合させられる係合部６４を備える。また、前記溝３９ｂは、上フレーム３０の下フレーム３１に対するロックが行われたときに、突起３８ｂと係合し、上フレーム３０の下フレーム３１に対する回転動作を規制する第１の係合部６５、及び上フレーム３０の下フレーム３１に対するロックが解除され、開閉自在にされたときに、突起３８ｂと係合し、上フレーム３０の下フレーム３１に対する回転動作を許容する第２の係合部６６を備える。なお、前記溝３９ｂには、前記側板４０の上端において開口する部分はなく、突起３８ｂは、組立て時に下フレーム３１の側板４０の内側から溝３９ｂ内に挿入される。
【００２１】
また、上フレーム３０の上面における６箇所（左右方向において２箇所、用紙の搬送方向において３箇所）に、用紙を搬送するためのピンチローラ２２が、上フレーム３０に対して回転自在に配設される。前記下フレーム３１には、左右方向に並んだ各対のピンチローラ２２と対応させて、用紙の搬送方向における３箇所に、各対のピンチローラ２２と係脱自在に搬送ローラ２３が、下フレーム３１に対して回転自在に配設される。前記搬送ローラ２３によって第１の回転体が、ピンチローラ２２によって第２の回転体が構成される。
【００２２】
前記ピンチローラ２２には軸２２ａが設けられ、該軸２２ａは、「コ」字状に形成され、基部３４ａ、及び該基部３４ａの両端において直角に延びる２本の腕部３４ｂを備えた棒状のばね３４によって下方（搬送ローラ２３側）に向けて付勢された状態で上フレーム３０によって支持される。そのために、前記上フレーム３０の頂壁３０ａには、ピンチローラ２２を収容するための矩（く）形の窓状の収容部６８が切欠きによって形成されるとともに、ピンチローラ２２を回転自在に保持するための第１の保持部Ａ１、及びばね３４を保持するための第２の保持部Ａ２が切欠きによって形成される。
【００２３】
前記第１の保持部Ａ１は、軸２２ａに対応する部分において頂壁３０ａを下方に向けて半月状に変形させることによって形成された凹部３０ｂ、及び凹部３０ｂに隣接する押え部３０ｄから成り、前記凹部３０ｂを上方に向けて半月状に変形させ、前記軸２２ａを凹部３０ｂと押え部３０ｄとの間に挿入することによって、ピンチローラ２２は回転自在に支持される。なお、前記押え部３０ｄは、軸２２ａが上下方向に移動自在になるように余裕代を設けて形成される。
【００２４】
また、前記第２の保持部Ａ２は、前記各腕部３４ｂに対応する箇所を帯状に切り欠くことによって形成された押え部３０ｃ、及び該押え部３０ｃに隣接する凹部３０ｅから成り、該各凹部３０ｅを下方に向けて変形させ、前記腕部３４ｂを押え部３０ｃと各凹部３０ｅとの間に挿入することによって、ばね３４が上フレーム３０に固定される。
【００２５】
したがって、各腕部３４ｂの先端が軸２２ａに押し付けられ、ピンチローラ２２は、ばね３４の付勢力によって下方に向けて付勢される。
【００２６】
一方、側板４０の３箇所に、下端が開放された「コ」字状の支持部４０ａが形成され、該支持部４０ａに軸２３ａを係止させることによって、搬送ローラ２３が回転自在に支持される。該搬送ローラ２３及び各対のピンチローラ２２は係脱自在に配設され、溝３９ａと突起３８ａとが係合させられるのに伴って、搬送ローラ２３はピンチローラ２２に対して係合させられる。そのために、前記支持部４０ａの先端間の幅は、軸２３ａの径より小さくされる。なお、前記軸２３ａは弾性材料によって形成され、搬送ローラ２３は下フレーム３１に対して弾性的に支持される。
【００２７】
次に、上フレーム３０を下フレーム３１に対してロックするときの動作について説明する。
【００２８】
図１０は本発明の第１の実施の形態における上フレームを閉鎖位置に置く際の動作を示す第１の図、図１１は本発明の第１の実施の形態における上フレームを閉鎖位置に置く際の動作を示す第２の図、図１２は本発明の第１の実施の形態における上フレームを閉鎖位置に置く際の動作を示す第３の図、図１３は本発明の第１の実施の形態における上フレームを閉鎖位置に置く際の動作を示す第４の図、図１４は本発明の第１の実施の形態における上フレームを閉鎖位置に置く際の動作を示す第５の図、図１５は本発明の第１の実施の形態における上フレームを閉鎖位置に置く際の動作を示す第６の図である。
【００２９】
図１０及び１１は、上フレーム３０の下フレーム３１に対するロックが解除されている状態である。このとき、突起３８ｂは溝３９ｂの第２の係合部６６と係合させられ、各対のピンチローラ２２と搬送ローラ２３との係合が外される。また、前記ピンチローラ２２の軸２２ａは、図１１に示されるように、凹部３０ｂと押え部３０ｄとの間に形成され、上下に「Ｕ」字状の端部を備え、楕円形の形状を有する穴７１内において、ばね３４の付勢力によって下方に押し付けられる。
【００３０】
次に、図１２に示されるように、前記上フレーム３０を矢印Ｄ方向に移動させると、突起３８ｂは溝３９ｂの第１、第２の係合部６５、６６の間に形成された凸部ｐ１の傾斜面Ｓ１に沿って、第２の係合部６６側から第１の係合部６５側に向けて移動させられる。このとき、図１３に示されるように、各対のピンチローラ２２は搬送ローラ２３に当接させられ、ピンチローラ２２の軸２２ａはばね３４の付勢力に抗して穴７１内を上方に向けて移動させられる。
【００３１】
そして、図１４及び１５は、上フレーム３０が下フレーム３１に対してロックされ、かつ、閉鎖位置に置かれた状態である。このとき、突起３８ｂは溝３９ｂの第１の係合部６５と係合させられ、各対のピンチローラ２２と搬送ローラ２３とが係合させられる。また、前記ピンチローラ２２の軸２２ａは、図１５に示されるように、前記穴７１内において、ばね３４の付勢力によって下方に付勢されるが、前述されたように、各対のピンチローラ２２と搬送ローラ２３とが係合させられるので、前記付勢力に抗して穴７１の下端からわずかに上方の位置に置かれる。
【００３２】
前記第１の係合部６５は、上方が塞がれているので、上フレーム３０が下フレーム３１に対してロックされた状態で、上フレーム３０の開閉動作は規制される。
【００３３】
また、上フレーム３０を、下方に押し下げ、続いて、矢印Ｄ方向と反対の方向に移動させることによって、前述された動作を逆に行うことにより、上フレーム３０の下フレーム３１に対するロックが解除され、上フレーム３０を開放することができる。
【００３４】
そして、反転ユニット５９内で媒体詰りとしての紙詰りが発生すると、反転ユニット５９を印刷装置１１から引き出し、上フレーム３０を、下方に押し下げ、続いて、矢印Ｄ方向と反対の方向に移動させると、上フレーム３０の下フレーム３１に対するロック解除し、上フレーム３０を開放位置に置くことによって用紙を取り除くことができる。
【００３５】
このように、本実施の形態においては、上フレーム３０の下フレーム３１に対するロック及びロックの解除を、上フレーム３０を水平方向に移動させ、用紙搬送用のピンチローラ２２及び搬送ローラ２３の付勢力により行うことができるので、上フレーム３０を開閉するための部品点数を少なくすることができるだけでなく、上フレーム３０を開閉するための作業を簡素化することができる。したがって、反転ユニット５９内で紙詰りが発生したときに、用紙を取り除くための作業を簡素化することができる。
【００３６】
また、上フレーム３０を下フレーム３１に対して確実にロックすることができるので、用紙に斜行、送り不良等が発生するのを防止することができる。
【００３７】
次に、本発明の第２の実施の形態について説明する。なお、第１の実施の形態と同じ構造を有するものについては、同じ符号を付与することによってその説明を省略する。
【００３８】
図１６は本発明の第２の実施の形態における上フレームを閉鎖位置に置いた状態の反転ユニットの要部を示す正面図である。
【００３９】
図において、７３は第２のフレームとしての上フレーム３０の所定の箇所、本実施の形態においては、前端（図において右端）に形成された当接部、７４は、記録装置としての印刷装置１１（図２参照）の所定の箇所に、前記当接部７３と対向させて形成されたストッパとして機能する規制部としての壁体である。
【００４０】
この場合、媒体としての用紙を取り除いた後、媒体搬送ユニットとしての反転ユニット５９を前方（図において右方）に押し込むと、当接部７３が壁体７４に当たり、上フレーム３０の動きが規制されるのに対して、第１のフレームとしての下フレーム３１を更に前方に移動させることができるので、前記上フレーム３０が下フレーム３１に対して矢印Ｄ方向に移動することになる。
【００４１】
その結果、第１の実施の形態と同様に、上フレーム３０が下フレーム３１に対してロックされ、かつ、閉鎖位置に置かれた状態になる。
【００４２】
このように、反転ユニット５９を移動させることによって、前記上フレーム３０が前記下フレーム３１に対して水平方向に移動させられ、第１のロック係合部としての溝３９ａ及び第２のロック係合部としての突起３８ａの係脱が行われるので、用紙を取り除いた後、前記反転ユニット５９を前方に押し込むだけで、上フレーム３０を下フレーム３１に対してロックすることができる。したがって、上フレーム３０を閉鎖するための作業を一層簡素化することができ、反転ユニット５９内で媒体詰りとしての紙詰りが発生したときの作業を一層簡素化することができる。
【００４３】
また、反転ユニット５９が印刷装置１１にセットされているときは、上フレーム３０は下フレーム３１に対して確実にロックされた状態になるので、ロック忘れが発生するのを防止することができる。
【００４４】
次に、本発明の第３の実施の形態について説明する。なお、第１の実施の形態と同じ構造を有するものについては、同じ符号を付与することによってその説明を省略する。
【００４５】
図１７は本発明の第３の実施の形態における上フレームを閉鎖位置に置いた状態の反転ユニットの要部を示す正面図である。
【００４６】
図において、７６は第２のフレームとしての上フレーム３０の前端（図において右端）に形成された当接部、７４は、記録装置としての印刷装置１１（図２参照）の所定の箇所に、前記当接部７６に対向させて形成されたストッパとして機能する第１の規制部としての壁部、７８は、印刷装置１１の所定の箇所において、前記上フレーム３０の上方に形成された偏向部材として機能する第２の規制部としての壁体である。
【００４７】
当接部７６の後端（図において左端）には、第１の偏向部としての傾斜面７７が、前記壁体７８の前記傾斜面７７と対応する箇所に、第２の偏向部としての傾斜面７９が形成される。
【００４８】
この場合、媒体搬送ユニットとしての反転ユニット５９内で媒体詰りとしての紙詰りが発生したときに、反転ユニット５９を印刷装置１１から引き出すと、上フレーム３０が後退（図において左方に移動）させられるのに伴って、最初に傾斜面７９に傾斜面７７が当たり、更に、上フレーム３０が後退させられると、傾斜面７９と傾斜面７７とを互いに摺（しゅう）動させられ、上フレーム３０は、下方に押し下げられる。続いて、更に、上フレーム３０が後退させられると、上フレーム３０の第１のフレームとしての下フレーム３１に対するロックが解除され、上フレーム３０を開放位置に置くことによって用紙を取り除くことができる。なお、前記傾斜面７９及び傾斜面７７の傾斜角度を小さくすることによって、上フレーム３０を後退させる際の力を小さくすることができる。
【００４９】
そして、用紙を取り除いた後、前記反転ユニット５９を前方（図において右方）に押し込むと、当接部７６が壁体７４に当たり、上フレーム３０の動きが規制されるのに対して、下フレーム３１を更に前方に移動させることができるので、前記上フレーム３０が下フレーム３１に対して矢印Ｄ方向に移動することになる。その結果、第２の実施の形態と同様に、上フレーム３０が下フレーム３１に対してロックされ、かつ、閉鎖位置に置かれた状態になる。
【００５０】
このように、反転ユニット５９を移動させることによって、前記上フレーム３０が前記下フレーム３１に対して水平方向及び垂直方向に移動させられ、第１のロック係合部としての溝３９ａ及び第２のロック係合部としての突起３８ａの係脱が行われる。したがって、前記反転ユニット５９を引き出すだけで、上フレーム３０の下フレーム３１に対するロックの解除を行うことができ、用紙を取り除いた後、前記反転ユニット５９を前方に押し込むだけで、上フレーム３０を下フレーム３１に対してロックすることができる。その結果、上フレーム３０を開閉するための作業を一層簡素化することができ、反転ユニット５９内で紙詰りが発生したときの作業を一層簡素化することができる。
【００５１】
また、反転ユニット５９が印刷装置１１にセットされているときは、上フレーム３０は下フレーム３１に対して確実にロックされた状態になるので、ロック忘れが発生するのを防止することができる。
【００５２】
なお、本発明は前記実施の形態に限定されるものではなく、本発明の趣旨に基づいて種々変形させることが可能であり、それらを本発明の範囲から排除するものではない。
【００５３】
【発明の効果】
以上詳細に説明したように、本発明によれば、媒体供給装置においては、回転自在に配設された第１の回転体、揺動支点を構成する第１の支点係合部、及び第１のロック係合部を備えた第１のフレームと、回転自在に配設された第２の回転体、前記第１の支点係合部と係合させられて揺動支点を構成する第２の支点係合部、及び前記第１のロック係合部と選択的に係合させられる第２のロック係合部を備え、前記第１のフレームに対して揺動自在に配設された第２のフレームとを有する。
【００５４】
そして、前記第１、第２のロック係合部は第１のフレームと第２のフレームとを相対的に移動させることによって選択的に係合させられ、第２のフレームの第１のフレームに対するロック及びロックの解除が行われる。
【００５５】
この場合、第１のフレームと第２のフレームとを相対的に移動させることによって第１、第２のロック係合部が選択的に係合させられ、第２のフレームの第１のフレームに対するロック及びロックの解除が行われる。
【００５６】
したがって、第２のフレームを開閉するための部品点数を少なくすることができるだけでなく、第２のフレームを開閉するための作業を簡素化することができる。したがって、媒体搬送ユニット内で媒体詰りが発生したときに、媒体を取り除くための作業を簡素化することができる。
【００５７】
また、第２のフレームを第１のフレームに対して確実にロックすることができるので、媒体に斜行、送り不良等が発生するのを防止することができる。
【図面の簡単な説明】
【図１】本発明の第１の実施の形態における上フレームを閉鎖位置に置いた状態の反転ユニットの要部を示す正面図である。
【図２】従来の印刷装置の概念図である。
【図３】本発明の第１の実施の形態における反転ユニットの要部を示す斜視図である。
【図４】本発明の第１の実施の形態における上フレームを開放位置に置いた状態の反転ユニットの要部を示す正面図である。
【図５】本発明の第１の実施の形態における突起の係合状態を示す第１の図である。
【図６】本発明の第１の実施の形態における突起の係合状態を示す第２の図である。
【図７】本発明の第１の実施の形態におけるピンチローラの配設状態を示す斜視図である。
【図８】本発明の第１の実施の形態におけるピンチローラの配設状態を示す断面図である。
【図９】本発明の第１の実施の形態におけるピンチローラと搬送ローラとの関係を示す図である。
【図１０】本発明の第１の実施の形態における上フレームを閉鎖位置に置く際の動作を示す第１の図である。
【図１１】本発明の第１の実施の形態における上フレームを閉鎖位置に置く際の動作を示す第２の図である。
【図１２】本発明の第１の実施の形態における上フレームを閉鎖位置に置く際の動作を示す第３の図である。
【図１３】本発明の第１の実施の形態における上フレームを閉鎖位置に置く際の動作を示す第４の図である。
【図１４】本発明の第１の実施の形態における上フレームを閉鎖位置に置く際の動作を示す第５の図である。
【図１５】本発明の第１の実施の形態における上フレームを閉鎖位置に置く際の動作を示す第６の図である。
【図１６】本発明の第２の実施の形態における上フレームを閉鎖位置に置いた状態の反転ユニットの要部を示す正面図である。
【図１７】本発明の第３の実施の形態における上フレームを閉鎖位置に置いた状態の反転ユニットの要部を示す正面図である。
【符号の説明】
２２　　ピンチローラ
２３　　搬送ローラ
３０　　上フレーム
３１　　下フレーム
３８ａ、３８ｂ　　突起
３９ａ、３９ｂ　　溝
５９　　反転ユニット
６３　　受入れ部
６４　　係合部
６５、６６　　第１、第２の係合部
【図１】
2004091138.tif 000003
【図２】
2004091138.tif 000004
【図３】
2004091138.tif 000005
【図４】
2004091138.tif 000006
【図５】
2004091138.tif 000007
【図６】
2004091138.tif 000008
【図７】
2004091138.tif 000009
【図８】
2004091138.tif 000010
【図９】
2004091138.tif 000011
【図１０】
2004091138.tif 000012
【図１１】
2004091138.tif 000013
【図１２】
2004091138.tif 000014
【図１３】
2004091138.tif 000015
【図１４】
2004091138.tif 000016
【図１５】
2004091138.tif 000017
【図１６】
2004091138.tif 000018
【図１７】
2004091138.tif 000019